(57)【要約】      （修正有）【課題】互いに突き合わされる巾木先端のコーナー部に、接着剤や両面テープを用いることなく安定して取り付けできるコーナー部材を提供する。【解決手段】コーナー部材１は互いに垂直に交わる両表面板２ａ、２ｂを有し、表面板の上端には上面板３ａ、３ｂがＬ型に垂直を成して背面側（裏面側）へ延び、中央背面側には部屋の壁面コーナー部に係合する切込み４が形成され、一方の表面板２ｂの裏面には巾木裏面に長手方向に延びる凹溝に嵌る嵌入片６が垂直を成して延びている。【選択図】図１
0003223339.tif 000002
【実用新案登録請求の範囲】
【請求項１】
巾木のコーナー部に取付けるコーナー部材において、該コーナー部材は互いに垂直に交わる両表面板と該表面板の上端には上面板が垂直を成して背面側へ延び、一方の表面板の裏面には巾木裏面に長手方向に延びる凹溝に嵌る嵌入片が垂直を成して延びていることを特徴とする巾木のコーナー部材。
【請求項２】
上記嵌入片の先端部が細くなるようにテーパーを形成した請求項１記載の巾木のコーナー部材。
【請求項３】
上記嵌入片の上縁及び下縁の少なくとも片方を山形断面の凸条を形成した請求項１、又は請求項２記載の巾木のコーナー部材。
【請求項４】
上記嵌入片の断面形状を概略コ形として内部を空洞化し、一方側には凹凸面を、他方側の上下には凸部を形成した請求項１記載の巾木のコーナー部材。
【考案の詳細な説明】
【技術分野】
【０００１】
本考案は、部屋の床面及び壁面に沿って取付けられる巾木のコーナー部材に関するものである。
【背景技術】
【０００２】
部屋の壁面と床面との境界域を化粧し、また、保護する為に巾木が取付けられている。巾木は一定の断面をした長尺材であり、背面を壁面に当接すると共に底面は床に当接して固定される。したがって、該巾木によって床面と壁面との間に生じる隙間をカバーすることが出来る。
ところで、巾木を取付けた場合には隣り合って突き合わされる巾木間に隙間が生じ、この隙間を被覆する為に巾木のコーナー部にはコーナー部材が取付けられる。
【０００３】
図７は壁面と床面のコーナーに巾木（イ）、（イ）を取付けた場合であり、（ａ）では巾木（イ）、（イ）の先端切口を４５°に切断して突き合わされている。４５°に傾斜した切口はその切断面に誤差が生じやすくて、突合せ面には多少の隙間（ロ）が生じる。そして、（ｂ）では切口を９０°として切断されており、その為に互いに突き合わされる巾木（イ）、（イ）の先端間には大きな開口（ハ）を有している。
【０００４】
ところで、上記のように巾木（イ）、（イ）を取付けたコーナー部にはコーナー部材が取付けられて、突き合わされる巾木（イ）、（イ）の先端間に生じる隙間（ロ）や開口（ハ）をカバーしている。その為に、従来ではコーナー部材を使用して巾木（イ）、（イ）のコーナー部に接着剤又は両面テープを介して固定している。
図８は従来の一般的なコーナー部材を示す具体例であり、垂直に屈曲している表面板（ニ）、（ニ）と該表面板（ニ）、（ニ）の上端には上面板（ホ）、（ホ）を垂直を成して形成している。
【０００５】
そこで、表面板（ニ）、（ニ）は巾木（イ）、（イ）の表面（ヘ）、（ヘ）に当接して接着され、上面板（ホ）、（ホ）は巾木（イ）、（イ）の上面（ト）、（ト）に接して接着される。
前記図７（ａ）に示す巾木（イ）、（イ）のコーナー部であれば、前記図８に示すコーナー部材を取付けることは出来るが、（ｂ）に示すように巾木（イ）、（イ）の先端間に大きな開口（ハ）を有している場合には、接着される領域を確保する為に、表面板（ニ）、（ニ）、及び上面板（ホ）、（ホ）を大きく延ばした形状としなくてはならない。
【０００６】
すなわち、同じコーナー部材を兼用することが出来ない。その為に、成形する為の金型は夫々のコーナー部材用として必要と成り、コストが嵩む。
一方、前記図７に示す巾木（イ）、（イ）はコーナー部が出っ張っている出隅コーナーであるが、逆にコーナー部が窪んでいる入隅形態としている場合もあり、それぞれに形状の異なるコーナー部材が取付けられる。
【０００７】
実開平６−１５９２号に係る「巾木コーナー部材」は、入隅と出隅兼用の巾木コーナー部材である。
２つの方形面を断面Ｌ字型に接合し、垂直面とする。この垂直面の下端部から、垂直面に囲まれた内側に向けて、出隅用鍔を水平かつＬ字状に形成する。一方、垂直面の上端部からは、外側に向けて、入隅用鍔を水平かつＬ字状に形成する。これらの垂直面と各鍔部との接合部には、垂直面と各鍔部とを切り離すための切り込みを形成している。
すなわち、本考案の巾木コーナー部材は、不要な方の鍔を切り込みから切り離し、出隅用と入隅用のいずれの巾木コーナー部材としても使用することが出来るように構成している。
【特許文献１】実開平６−１５９２号に係る「巾木コーナー部材」
【考案の開示】
【考案が解決しようとする課題】
【０００８】
このように、巾木のコーナー部にはコーナー部材を取付けることが必要である。
しかし、従来の巾木コーナー部材は接着剤又は両面テープを用いて巾木面に固定されているが、その為に巾木コーナー部材の取付け作業には接着剤又は両面テープが必要とされる。
一方、接着剤や両面テープにて巾木面に固定されるコーナー部材は期間が経過すると剥がれ落ちるといった問題を発生する。
本考案が解決しようとする課題はこの問題点であり、接着剤や両面テープを用いないで安定して取付けることが出来る巾木コーナー部材を提供する。
【課題を解決するための手段】
【０００９】
本考案のコーナー部材は互いに垂直を成す表面板と該表面板の上端には垂直を成す上面板を有している。すなわち、両巾木の先端が突き合わされるコーナー部を被覆することが出来る形態としていて、基本的な形状は従来のコーナー部材と同じであるが、具体的な形状に関しては限定しない。
ところで、両巾木が突き合わされるコーナー部に取付けられるが、従来のように接着剤を介して固着することなく、また両面テープを介して取付けられるものではない。
【００１０】
本考案のコーナー部材は嵌入片を延ばし、該嵌入片は巾木背面（裏面）に設けている凹溝に嵌入することで取付けられる。上記嵌入片は表面板の背面（裏面）から垂直を成して延び、上記巾木凹溝に挿入された嵌入片はガタ付くことなく篏合してコーナー部材は取付けられる。
ここで、上記嵌入片は板状態を成しているが、具体的な形状に関しては限定せず、上記巾木凹溝にはガタ付くことなく嵌合することが出来るようにしている。
【考案の効果】
【００１１】
本考案の巾木のコーナー部材は、巾木が突き合わされるコーナー部に取付けることで、該コーナー部に発生する隙間や開口を被覆することが出来、外観が損なわれることがないようにしている。
そして、本考案のコーナー部材は、接着剤を用いることなく、また両面テープを使用することなく巾木コーナー部に取付けられる。コーナー部材には嵌入片が設けられ、この嵌入片を巾木凹溝に嵌入して取付けられる。
【００１２】
該コーナー部材の取付け作業は、接着剤又は両面テープを使用する場合に比べて簡単であり、しかも取付けたコーナー部材が外れることなく安定して取付けられる。また、嵌入片が巾木凹溝に嵌入することで、該コーナー部材は所定の位置に正しく取付けることが出来る。
勿論、嵌入片が凹溝から抜けてコーナー部材が巾木コーナー部から離脱することはない。
【図面の簡単な説明】
【００１３】
【図１】本考案の出隅用コーナー部材を示す実施例で、（ａ）は左側面図、（ｂ）は平面図、（ｃ）は右側面図、（ｄ）は正面図を表している。
【図２】本考案のコーナー部材が巾木に取付けられている場合。
【図３】（ａ）は図２のＡ部拡大図、（ｂ）は図２のＢ部拡大図。
【図４】本考案の出隅用コーナー部材を示す実施例で、（ａ）は左側面図、（ｂ）は平面図、（ｃ）は右側面図、（ｄ）は正面図、（ｅ）は底面図を表している。
【図５】本考案のコーナー部材が巾木に取付けられている場合。
【図６】図５のＣ部拡大図。
【図７】巾木の出隅コーナー部を示す具体例。
【図８】巾木の出隅コーナー部に取付ける従来のコーナー部材。
【考案を実施するための形態】
【００１４】
図１は巾木の出隅コーナー部に取付けるコーナー部材１を示す実施例であり、（ａ）は左側面図、（ｂ）は平面図、（ｃ）は右側面図、（ｄ）は正面図をそれぞれ表している。  このコーナー部材１は互いに垂直を成す表面板２ａ，２ｂと、該表面板２ａ，２ｂの上端には上面板３ａ，３ｂを背面側（裏面側）へ垂直に延ばしている。該上面板３ａ，３ｂは互いに連続してＬ形を成しており、中央背面側には切込み４が形成されている。
コーナー部材１を巾木コーナー部に取付ける場合、該切込み４は部屋の壁面コーナー部に係合するように成る。
【００１５】
ところで、この出隅コーナー部材１は外側には互いに垂直を成す両表面板２ａ，２ｂを有し、上端には上面板３ａ，３ｂを備えた形状とし、背面側及び底面は開口している。
したがって、この開口に巾木の出隅コーナー部が嵌って取付けられ、該出隅コーナー部はコーナー部材１によって被覆される。垂直を成して突き合わされる巾木の先端に生じる隙間や開口をコーナー部材１によって表面化しないように被覆することが出来る。
【００１６】
そして、両表面板２ａ，２ｂの背面コーナー５は丸みを有すことなく角張っており、切口が４５°に切断されて突き合わされる巾木のコーナー部が尖っていても背面コーナー５に当たって両表面板２ａ，２ｂは巾木と密着して取付けられる。
ところで、本考案のコーナー部材１は従来のような接着剤を用いることなく、また両面テープを用いることなく取付けることが出来るように、嵌入片６を設けている。
上記嵌入片６は一方の表面板２ｂの背面７から垂直に延びている。そして、嵌入片６の先端部は凹溝に嵌り易いように傾斜して細くなっている。
【００１７】
図２はコーナー部材１が巾木８に取付けられている場合の断面を表している。巾木８の背面には凹溝９が設けられ、長手方向に延びている。そして、巾木９の木口１０から凹溝９に上記嵌入片６が嵌入することが出来る。嵌入片６の先端部にはテーパー１１，１１が形成されて幅寸法が細くなっていることで、凹溝９には簡単に挿入することが出来る。
【００１８】
図３（ａ）は図２のＡ部拡大図、図３（ｂ）は図２のＢ部拡大図を表している。図３（ａ）に示しているように、嵌入片６の先端部幅寸法は凹溝９の幅寸法より小さく、その為に凹溝９に沿って該嵌入片６は位置決めされて嵌ることが出来る。
また、嵌入片６の上縁及び下縁は山形に尖った凸条１２，１２を形成している。したがって、凹溝９に嵌入片６が嵌入するならば、上縁に形成している凸条１２は上面１３に食い込み、同じく下縁に形成している凸条１２は下面１４に食い込むことが出来る。図３に示す嵌入片６は、その上縁と下縁共に尖った凸条としているが、何れか片方のみ凸条１２とすることもある。
【００１９】
図４は巾木の出隅コーナー部に取付けるコーナー部材２１を示す他の実施例であり、（ａ）は左側面図、（ｂ）は平面図、（ｃ）は右側面図、（ｄ）は正面図、そして（ｅ）は底面図をそれぞれ表している。このコーナー部材２１は前記図１に示したコーナー部材１と同じように、互いに垂直を成す表面板２２ａ，２２ｂと、該表面板２２ａ，２２ｂの上端には上面板２３ａ，２３ｂを背面側（裏面側）へ垂直に延ばしている。該上面板２３ａ，２３ｂは互いに連続してＬ形を成しており、中央背面側には切込み２４が形成されている。
コーナー部材２１を巾木コーナー部に取付ける場合、該切込み２４は部屋の壁面コーナー部に係合するように成る。
【００２０】
ところで、この出隅コーナー部材２１は、互いに垂直を成す両表面板２２ａ，２２ｂを有し、上端には上面板２３ａ，２３ｂを備えた形状とし、背面側及び底面は開口している。したがって、この開口に巾木の出隅コーナー部が嵌って取付けられ、該出隅コーナー部はコーナー部材２１によって被覆される。垂直を成して突き合わされる巾木の先端に生じる隙間や開口をコーナー部材２１によって表面化しないように被覆することが出来る。
【００２１】
そして、両表面板２２ａ，２２ｂの背面コーナー２５は丸みを有すことなく角張っており、切口が４５°に切断されて突き合わされる巾木のコーナー部が尖っていても背面コーナー２５に当たって両表面板２２ａ，２２ｂは巾木と密着して取付けられる。
ところで、本考案のコーナー部材２１は従来のような接着剤を用いることなく、また両面テープを用いることなく取付けることが出来るように、嵌入片２６を設けている。上記嵌入片２６は一方の表面板２２ｂの背面２７から垂直を成して延びている。
【００２２】
図５はコーナー部材２１が巾木２８に取付けられている場合の断面を表している。巾木２８の背面には凹溝２９が設けられ、該凹溝２９は長手方向に延びている。そして、巾木２８の木口３０から凹溝２９に上記嵌入片２６が嵌入することが出来る。嵌入片２６の幅寸法（高さ寸法）は凹溝幅に対して僅かに細くなっていることで、凹溝２９には簡単に挿入することが出来る。ただし、凹溝２９に嵌った嵌入片２６がガタ付くことはない。
【００２３】
図６は図５のＣ部拡大図を表している。図６に示しているように、嵌入片２６の幅寸法は凹溝２９の幅寸法より小さいことで、嵌入片２６が嵌った状態で凹溝２９の上下には隙間３１，３１が介在している。
嵌入片２６は同図に断面を示すように概略コ形を成し、内部空間３２を有し、一方側面は凹凸面とし、凸部先端３３，３３・・・は凹溝２９の底面３４に所定の面圧にて接触している。また、他方側面の上下には凸部３５，３５を有し、その先端は巾木２８が取付けられる壁面３６に接している。
嵌入片２６は内部空間３２を有している為に接触に際して圧縮され、適度な接触圧を呈すことが出来、取付けられるコーナー部材２１は位置ズレすることなく安定する。
【符号の説明】
【００２４】
１   コーナー部材
２   表面板
３   上面板
４   切込み
５   背面コーナー
６   嵌入片
７   背面
８   巾木
９   凹溝
10   木口
11   テーパー
12   凸条
13   上面
14   下面
21   コーナー部材
22   表面板
23   上面板
24   切込み
25   背面コーナー
26   嵌入片
27   背面
28   巾木
29   凹溝
30   木口
31   隙間
32   内部空間
33   凸部先端
34   底面
35   凸部
36   壁面
【図１】
0003223339.tif 000003
【図２】
0003223339.tif 000004
【図３】
0003223339.tif 000005
【図４】
0003223339.tif 000006
【図５】
0003223339.tif 000007
【図６】
0003223339.tif 000008
【図７】
0003223339.tif 000009
【図８】
0003223339.tif 000010